(57)【要約】【課題】生ごみ処理運転中は蓋施錠部が動作し蓋が開かない状態、生ごみ処理運転停止時は蓋施錠部が動作せず蓋が開く状態となって、蓋施錠部を手動で操作する必要がなく、運転中に発生する高温の蒸気に触れる等の危険性を無くすること。【解決手段】厨芥を収納する収納部３２を有する本体３１と、前記厨芥を加熱する加熱手段３４、３６を有し、かつ前記本体３１に対して回動自在に前記本体３１に設けた蓋５０と、前記本体３１と前記蓋５０を施錠する尾錠３５に電磁方式の蓋施錠部を備えたもので、生ごみ処理機の電源入、切で前記本体３１と前記蓋５０を施錠する構成となり、手動で蓋施錠部の操作を行う必要がなく、万が一、運転途中に蓋を開けた場合に発生する高温蒸気等の危険性がない生ごみ処理機を提供できる。【選択図】図１
2006082021.tif 000002
【特許請求の範囲】
【請求項１】
厨芥を収納する収納部を有する本体と、前記厨芥を加熱する加熱手段と、前記本体に対して回動自在に設けられた蓋と、前記本体と蓋を施錠する尾錠と、前記加熱手段、尾錠等を制御する制御手段とを備え、前記尾錠は電磁方式の蓋施錠部を有する構成とした生ごみ処理機。
【請求項２】
蓋施錠部は、ソレノイドを備える構成とした請求項１記載の生ごみ処理機。
【請求項３】
蓋施錠部を蓋内部に固定した請求項１または２記載の生ごみ処理機。
【請求項４】
蓋施錠部をリンク機構で構成した請求項１〜３のいずれか１項に記載の生ごみ処理機。
【請求項５】
生ごみ処理運転中は電磁方式の蓋施錠部が動作し、尾錠がロックされて本体から蓋が開かなくなる構成とした請求項１〜４のいずれか１項に記載の生ごみ処理機。
【請求項６】
生ごみ処理運転停止時は電磁方式の蓋施錠部が解除され、尾錠のロックが解除されて本体から蓋が開き得る状態になる構成とした請求項１〜５のいずれか１項に記載の生ごみ処理機。
【請求項７】
運転途中で生ごみ処理運転「切」ボタンを押した後、処理容器内の温度に応じて冷却する工程を行う請求項１〜６のいずれか１項に記載の生ごみ処理機。
【請求項８】
運転途中で生ごみ処理運転「切」ボタンを押した後に冷却工程を行い、処理容器内の温度が閾値より低いと判断した後、自動終了し、運転停止状態となる請求項１〜６のいずれか１項に記載の生ごみ処理機。
【請求項９】
制御手段は予約運転機能を有し、前記予約運転における待機設定時間内は電磁方式の蓋施錠部が解除する構成とした請求項１〜８のいずれか１項に記載の生ごみ処理機。
【発明の詳細な説明】
【技術分野】
【０００１】
本発明は台所等で出る生ごみを処理する生ごみ処理機に関するものである。
【背景技術】
【０００２】
従来、この種の生ごみ処理機としては、例えば以下に示すようなものがあった（特許文献１参照）。図６、図７は前記特許文献１に記載された従来の生ごみ処理機を示すものである。
【０００３】
図６、図７において、１は生ごみ処理機本体、２は生ごみを収納する生ごみ収納部で、底面に生ごみを撹拌する撹拌羽根３を備えている。この生ごみ収納部２の上部に生ごみを加熱するヒータからなる加熱手段を配してある。加熱手段は加熱用ヒータ４および加熱ファン６から構成され、熱風を生ごみに当てて生ごみの表面を加熱乾燥する。なお加熱ファン６は加熱モータ７により回転駆動される。
【０００４】
また、生ごみ収納部２の上方に吸気口８が設けられており、この吸気口８は生ごみ収納部２を介して連結通路９を通じて脱臭手段１０に接続されている。脱臭手段１０は加熱されて臭気を脱臭する触媒１１と、触媒１１を加熱する触媒加熱ヒータ１２で構成し、触媒１１を介して臭気を脱臭し、排気口１３より外部に排出する排気手段１４（排気ファン１５、排気モータ１６、冷却ファン１７）から構成されている。生ごみ処理機本体１内には制御回路１８、撹拌羽根３を駆動する駆動装置１９を設けてある。尾錠５に設けた突起体Ａ２５にビス止めする形で尾錠取付板Ａ２６と固定し、尾錠取付板Ａ２６の孔と蓋に固定した尾錠取付板Ｂ２８の孔を軸Ａ２７で通すことで尾錠５が蓋２０に取り付けられ、尾錠５が軸Ａ２７に対して回動する。蓋２０と生ごみ処理機本体１は尾錠５により施錠され、生ごみ処理機が運転状態に入る。
【０００５】
上記従来生ごみ処理機において、尾錠５を操作し、解除されることで、蓋２０が開状態となり、生ごみ収納部２に生ごみを投入あるいは乾燥処理後の生ごみを生ごみ収納部２から取り出す。
【０００６】
また、蓋閉時において、蓋に設けた蓋施錠部（図示せず）を手動で操作することで、施錠板２１が尾錠５と蓋２０の間に入り込むため、尾錠５が動作しない構成となり、蓋が開かない状態となる。蓋施錠部（図示せず）を手動で解除することで、施錠板２１が尾錠５と蓋２０の間に入り込まないため、尾錠５が動作する構成となり、蓋が開く状態となる。
【特許文献１】特開２００２−１１９９３９号公報
【発明の開示】
【発明が解決しようとする課題】
【０００７】
しかしながら、前記従来の生ごみ処理機は、蓋施錠部を手動で操作しなければならない。そして手動の場合、もしも蓋施錠部を操作せず生ごみ処理機運転をした際に、運転中に幼い子供等が蓋を開け、高温の蒸気等に触れる危険性がないとは言い難い。また、手動で操作しなければならないという使用性に課題を有していた。
【０００８】
本発明は上記従来の課題を解決するもので、生ごみ処理機の本体と蓋を施錠する尾錠に蓋施錠部を備え、その施錠部を電磁方式とすることで、生ごみ処理運転中は前記電磁方式の蓋施錠部が動作し、蓋が開かない状態、生ごみ処理運転停止時は前記電磁方式の蓋施錠部が動作せず、蓋が開く状態となり蓋施錠部を手動で操作する必要とせず、高温蒸気等の危険性がない生ごみ処理機を提供するものである。
【課題を解決するための手段】
【０００９】
上記従来の問題を解決するために、本発明は、厨芥を収納する収納部を有する本体と、前記厨芥を加熱する加熱手段と、前記本体に対して回動自在に設けられた蓋と、前記本体と蓋を施錠する尾錠と、前記加熱手段、尾錠等を制御する制御手段とを備え、前記尾錠は電磁方式の蓋施錠部を有する構成としたもので、生ごみ処理運転中は前記電磁方式の蓋施錠部が動作し、本体と蓋を施錠する尾錠により蓋がロックされて蓋が開かない状態とし、生ごみ処理運転停止時は前記電磁方式の蓋施錠部が動作せず、本体と蓋を施錠する尾錠により蓋のロックが解除されて蓋が開くことが可能となり、蓋施錠部を手動で操作する必要とせず、高温蒸気等の危険性がない生ごみ処理機を提供することができる。
【発明の効果】
【００１０】
本発明の生ごみ処理機は、蓋施錠部を手動で操作する必要とせず、高温蒸気等の危険性という心配がなく、生ごみ処理運転中は前記電磁方式の蓋施錠部が動作し、尾錠により蓋が開かない状態とし、生ごみ処理運転停止時は前記電磁方式の蓋施錠部が動作せず、本体と蓋を施錠する尾錠が解除されて蓋が開く状態となることが可能な生ごみ処理機を提供することができる。
【発明を実施するための最良の形態】
【００１１】
本発明の請求項１記載の発明は、厨芥を収納する収納部を有する本体と、前記厨芥を加熱する加熱手段と、前記本体に対して回動自在に設けられた蓋と、前記本体と蓋を施錠する尾錠と、前記加熱手段、尾錠等を制御する制御手段とを備え、前記尾錠は電磁方式の蓋施錠部を有する構成としたもので、生ごみ処理機の電源入、切で自動に尾錠が施錠する、あるいは、しない構成となり、手動で蓋施錠部の操作を行う必要がなく、万が一、運転途中に蓋を開けた場合に発生する高温蒸気等の危険性がない構成とすることが可能となる。
【００１２】
本発明の請求項２記載の発明は、前記電磁方式の蓋施錠部がソレノイドを備えたもので、ソレノイドに電流を流し、前記ソレノイドにおいて電気的エネルギーから変換された機械的エネルギーを利用することで、前記本体と前記蓋を施錠する蓋施錠部が自動に動作するため、手動で蓋施錠部の操作を行う必要がなく、万が一、運転途中に蓋を開けた場合に発生する高温蒸気等の危険性がない構成とすることが可能となる。
【００１３】
本発明の請求項３記載の発明は、前記電磁方式の蓋施錠部を蓋内部に固定したもので、蓋内部は水浸入の心配がないため、ソレノイドへの防水対策の必要がなく、蓋に配置する蓋開閉操作部、尾錠部付近に配置することが可能となるため、蓋施錠部機構の単純化、省スペース化が可能となる。
【００１４】
本発明の請求項４記載の発明は、前記電磁方式の蓋施錠部がリンク機構で構成としたもので、ソレノイドの直線運動をリンク機構により、回転運動へ変換することで、蓋施錠部機構の単純化、省スペース化が可能となる。
【００１５】
本発明の請求項５記載の発明は、生ごみ処理運転中は前記電磁方式の蓋施錠部が動作する構成としたもので、運転操作部の電源切ボタンを押して運転停止状態にならない限り、尾錠部のロック（固定）が解除せず、蓋が開かないため、万が一、幼い子供等が運転途中に蓋を開けた場合に発生する高温蒸気等による危険性が心配ない構成とすることが可能となる。
【００１６】
本発明の請求項６記載の発明は、生ごみ処理運転停止時は前記電磁方式の蓋施錠部が解除する構成としたもので、運転操作部の電源入ボタンを押して運転状態にならない限り、尾錠がロック（固定）されず蓋が開くため、処理予定の生ごみを処理利容器に投入することが可能となる。
【００１７】
本発明の請求項７記載の発明は、運転途中に生ごみ処理運転切ボタンを押した後、処理容器内の温度に応じて冷却する工程を行うもので、運転途中に運転切ボタンを押し、直ぐ蓋を開けると、処理容器内の高温蒸気が発生しており危険であるが、冷却工程を行い、処理容器内の温度を下げることで、運転途中停止の蓋開時における高温蒸気等による危険性がない構成とすることが可能となる。
【００１８】
本発明の請求項８記載の発明は、運転途中に生ごみ処理運転切ボタンを押した後に冷却工程を行い、処理容器内の温度が閾値より低いと判断した後、自動終了し、運転停止状態となるもので、運転途中に運転切ボタンを押し、直ぐ蓋を開けると、処理容器内の高温蒸気が発生しており危険であるが、冷却工程を行い、処理容器内の温度が閾値より下がると自動運転終了し、蓋施錠部を解除することで、運転途中停止の蓋開時における高温蒸気等による危険を心配することなく、蓋を開ける構成とすることが可能となる。
【００１９】
本発明の請求項９記載の発明は、制御手段が予約運転機能を有し、前記予約運転における待機設定時間内は前記電磁方式の蓋施錠部が動作しない構成としたもので、予約待機設定時間内であれば、尾錠が動作し蓋が開くため、処理予定の生ごみを処理利容器に投入することが可能となる。
【００２０】
以下、本発明の実施の形態について、図面を参照しながら説明する。なお、この実施の形態によって本発明が限定されるものではない。
【００２１】
（実施の形態１）
図１は、本発明の第１の実施形態における生ごみ処理機本体の断面図を、図２は、同生ごみ処理機運転時における蓋前部断面図を、図３は、同生ごみ処理機停止時における蓋前部断面図を、図４は、同生ごみ処理機運転時における蓋内前部上面図を、図５は、同生ごみ処理機停止時における蓋内前部上面図を示すものである。
【００２２】
図１において３１は生ごみ処理機本体、３２は生ごみを収納する生ごみ収納部で、底面に生ごみを撹拌する撹拌羽根３３を備えている。この生ごみ収納部３２の上部に生ごみを加熱するヒータからなる加熱手段を配してある。加熱手段は加熱用ヒータ３４および加熱ファン３６から構成され、熱風を生ごみに当てて生ごみの表面を加熱乾燥する。なお加熱ファン３６は加熱モータ３７により回転駆動される。
【００２３】
また、生ごみ収納部３２の上方に吸気口３８が設けられており、この吸気口３８は生ごみ収納部３２を介して連結通路３９を通じて脱臭手段４０に接続されている。脱臭手段４０は加熱されて臭気を脱臭する触媒４１と、触媒４１を加熱する触媒加熱ヒータ４２で構成し、触媒４１を介して臭気を脱臭し、排気口４３より外部に排出する排気手段４４（排気ファン４５、排気モータ４６、冷却ファン４７）から構成されている。生ごみ処理機本体３１内には制御回路（制御手段）４８、撹拌羽根３３を駆動する駆動装置４９を設けてある。
【００２４】
図１〜図５において、蓋５０と生ごみ処理機本体３１は尾錠３５により施錠され、生ごみ処理機が運転状態に入る。そして、尾錠３５と蓋開閉操作部５２と接触部に軸Ｂ５４と回転体５３を設けている。さらに、尾錠３５に設けた突起体Ａ５５にビス止めする形で尾錠取付板Ａ５６と固定し、尾錠取付板Ａ５６の孔と蓋に固定した尾錠取付板Ｂ５８の孔を軸Ａ５７で通すことで尾錠３５が蓋５０に取り付けられ、尾錠３５が軸Ａ５７に対して回動する。
【００２５】
また、図２〜図５において、尾錠３５付近にはソレノイド６３を固定し、ソレノイド６３の可動鉄芯６１にはリンク機構を構成する板Ａ５９が取り付けられている。また、板Ａ５９は中心付近において軸Ｃ６２により固定されている。尾錠取付板Ａ５６および尾錠取付板Ｂ５８側面には切り欠き部６０を設けている。
【００２６】
以上のように構成された生ごみ処理機について、以下動作、作用、効果を説明する。
【００２７】
厨芥を収納する収納部３２を有する本体３１と、厨芥を加熱する加熱手段を有し、かつ本体３１に対して回動自在に前記本体３１に設けた蓋５０と、前記本体３１と蓋５０を施錠する尾錠３５と、前記加熱手段３４、３６、尾錠３５等を制御する制御手段４８とを備え、前記制御手段４８は予約運転機能を有すると共に、前記尾錠３５は電磁方式の蓋施錠部５１を有する構成としたもので、蓋施錠部５１が電磁方式のため、生ごみ処理機の電源入、切（図示せず）で前記本体３１と蓋５０を施錠する尾錠３５が自動的にロックされる構成となり、手動で蓋施錠部５１の操作を行う必要がなく、万が一、運転途中に蓋を開けられて高温蒸気に触れてしまう等の危険性がない構成とすることが可能となる。
【００２８】
電磁方式の蓋施錠部５１がソレノイド６３を備えたもので、ソレノイド６３に電流を流し、ソレノイド６３において電気的エネルギーから変換された機械的エネルギーを利用する、つまり、電流により直線運動するソレノイド６３の可動鉄芯６１を用いることで、本体と蓋を施錠する蓋施錠部５１が自動に動作するため、手動で蓋施錠部５１の操作を行う必要がなく、万が一、運転途中に蓋を開けた場合に発生する高温蒸気等の危険性がない構成とすることが可能となる。
【００２９】
電磁方式の蓋施錠部５１を蓋内部に固定したもので、蓋内部は水浸入の心配がないため、ソレノイド６３への防水対策の必要がなく、蓋に配置する蓋開閉操作部５２、尾錠３５付近に配置することが可能となるため、蓋施錠部５１機構の単純化、省スペース化が可能となる。
【００３０】
電磁方式の蓋施錠部５１がリンク機構で構成としたもので、ソレノイド６３の可動鉄芯６１における直線運動を板Ａ５９と軸Ｃ６２で構成されるリンク機構により、回転運動へ変換することで、尾錠取付板Ａ５６および尾錠取付板Ｂ５８側面の切り欠き部６０に板Ａ５９を挿入する構成となるため、蓋施錠部５１機構の単純化、省スペース化が可能となる。
【００３１】
電磁方式の蓋施錠部５１が動作することで、尾錠３５が動作しない構成としたもので、ソレノイド６３の可動鉄芯６１が動作し、リンク機構により、尾錠取付板Ａ５６および尾錠取付板Ｂ５８側面の切り欠き部６０に板Ａ５９を挿入する状態となることで、尾錠３５と固定している尾錠取付板Ａ５６が回動運動不可能な構成となり、尾錠３５が動作せず蓋５０が開かない構成、それに対し、ソレノイド６３の可動鉄芯６１が動作しないと、尾錠取付板Ａ５６および尾錠取付板Ｂ５８側面の切り欠き部６０に板Ａ５９が挿入していないため、尾錠３５と固定している尾錠取付板Ａ５６が回動運動可能な構成となり、尾錠３５が動作し蓋５０が開く構成となることで、蓋施錠の安全性を維持しながら、蓋施錠部５１機構の単純化、省スペース化が可能となると同時に尾錠に対する蓋開閉操作部５２の施錠を兼ねることが可能となる。
【００３２】
生ごみ処理運転中は電磁方式の蓋施錠部５１が動作する構成としたもので、運転停止状態にならない限り、ソレノイド６３に電流を流し、ソレノイド６３の可動鉄芯６１が動作することで、リンク機構により尾錠取付板Ａ５６および尾錠取付板Ｂ５８側面の切り欠き部６０に板Ａ５９が挿入している状態により、尾錠３５と固定している尾錠取付板Ａ５６が回動運動不可能な構成、つまり、尾錠３５が動作せず、蓋５０が開かない構成のため、万が一、幼い子供等が運転途中に蓋５０を開けた場合に発生する高温蒸気等による危険性がない構成とすることが可能となる。
【００３３】
生ごみ処理運転停止時は電磁方式の蓋施錠部５１が解除する構成としたもので、運転状態にならない限り、ソレノイド６３に電流を流さず、ソレノイド６３の可動鉄芯６１が動作させないことで、尾錠取付板Ａ５６および尾錠取付板Ｂ５８側面の切り欠き部６０に板Ａ５９が挿入していない状態により、尾錠３５と固定している尾錠取付板Ａ５６が回動運動可能な構成、つまり、尾錠３５が動作し蓋５０が開く構成のため、随時、処理予定の生ごみを処理利容器に投入することが可能となる。
【００３４】
運転途中に生ごみ処理運転切ボタン（図示せず）を押した後、処理容器内の温度に応じて冷却する工程を行うもので、運転途中に運転切ボタン（図示せず）を押し、直ぐ蓋５０を開けると、処理容器３２内の高温蒸気が発生しており危険であるが、加熱手段３４を停止し、各ファンを運転する冷却工程を行う運転状態とし、尾錠３５が動作せず、蓋５０が開かない構成としながら、処理容器３２内の温度を下げることで、運転途中停止の蓋開時における高温蒸気等による危険性がない構成とすることが可能となる。
【００３５】
運転途中に運転切ボタン（図示せず）を押し、直ぐ蓋５０を開けると、処理容器３２内の高温蒸気が発生しており危険であるが、運転途中に生ごみ処理運転切ボタン（図示せず）を押した後、冷却工程を行い、処理容器３２内の温度を下げ、処理容器内３２温度センサにより処理容器３２内の温度が閾値より低いと判断し、自動に運転停止状態となることもので、処理容器３２内の温度が低い状態で蓋施錠部５１を解除、つまり、尾錠３５が動作し、蓋５０が開く構成となるため、高温蒸気等による危険の心配することなく、蓋５０を開けることが可能な構成とすることが可能となる。
【００３６】
予約運転における待機設定時間内は前記電磁方式の蓋施錠部５１が動作しない構成としたもので、予約待機設定時間内は運転停止状態とし、尾錠３５が動作し蓋５０が開くため、随時、処理予定の生ごみを処理容器３２に投入することが可能となる。
【００３７】
以上のように、本実施の形態では、蓋施錠部５１を手動で操作する必要とせず、高温蒸気等の危険性という心配がなく、生ごみ処理運転中は電磁方式の蓋施錠部５１が動作し、本体３１と蓋５０を施錠する尾錠３５が動作しない構成とすることで蓋５０が開かない状態とし、生ごみ処理運転停止時は電磁方式の蓋施錠部５１が動作せず、本体３１と蓋５０を施錠する尾錠３５が動作する構成とすることで、蓋５０が開く状態とすることが可能な生ごみ処理機を提供することができる。
【００３８】
また、本実施の形態では電磁方式の蓋施錠部にリンク機構で構成したものであるが、リンク機構を使用せず、ソレノイドの可動鉄芯における直線運動を直接使用あるいは他機構を使用することでも、尾錠部を施錠することが可能であり、蓋施錠部を手動で操作する必要とせず、高温蒸気等の危険性という心配がなく、生ごみ処理運転中は電磁方式の蓋施錠部が動作し、本体と蓋を施錠する尾錠が動作しない構成とすることで蓋が開かない状態とし、生ごみ処理運転停止時は電磁方式の蓋施錠部が動作せず、本体と蓋を施錠する尾錠が動作する構成とすることで、蓋が開く状態とすることが可能な生ごみ処理機を提供することができる。
【産業上の利用可能性】
【００３９】
以上のように、本発明にかかる生ごみ処理機は、蓋施錠部を手動で操作する必要とせず、高温蒸気等の危険性という心配がなく、生ごみ処理運転中は電磁方式の蓋施錠部が動作し、本体と蓋を施錠する尾錠が動作しない構成とすることで蓋が開かない状態とし、生ごみ処理運転停止時は電磁方式の蓋施錠部が動作せず、本体と蓋を施錠する尾錠が動作する構成とすることで、蓋が開く状態とすることが可能となるので、蓋と本体を尾錠で施錠し、本体内を加熱することで高温状態となる家庭電化機器への用途にも適用できる。
【図面の簡単な説明】
【００４０】
【図１】本発明の実施の形態１における生ごみ処理機断面図
【図２】同生ごみ処理機運転時における蓋前部断面図
【図３】同生ごみ処理機停止時における蓋前部断面図
【図４】同生ごみ処理機運転時における蓋内前部上面図
【図５】同生ごみ処理機停止時における蓋内前部上面図
【図６】従来の生ごみ処理機断面図
【図７】従来の生ごみ処理機蓋前部断面図
【符号の説明】
【００４１】
３５  尾錠
４８  制御回路（制御手段）
５０  蓋
５１  電磁方式の蓋施錠部
５６  尾錠取付板Ａ
５７  軸Ａ
５８  尾錠取付板Ｂ
５９  板Ａ
６１  可動鉄芯
６２  軸Ｃ
６３  ソレノイド
【図１】
2006082021.tif 000003
【図２】
2006082021.tif 000004
【図３】
2006082021.tif 000005
【図４】
2006082021.tif 000006
【図５】
2006082021.tif 000007
【図６】
2006082021.tif 000008
【図７】
2006082021.tif 000009